(57)【要約】【課題】収納された各種の防災用品を必要に応じて平常時に何人も購入することができ、平常時における防災用品のニーズに応えることができる防災ロッカーを提供する。【解決手段】防災ロッカー１０Ａは、集合住宅のエントランスやビルのエントランスに施設された宅配ボックス１１の近傍または宅配ボックス１１に一体に設置され、縦方向と横方向との少なくとも一方へ並んでいて各種の防災用品１４ａ〜１４ｎを個別に収納可能な複数の第１〜第１４防災用品収納スペース１２ａ〜１２ｎを備えている。防災ロッカー１０Ａでは、宅配ボックス１１に設置されたコントロールパネル２２を利用して第１〜第ｎ防災用品収納スペース１２ａ〜１２ｎに収納された所定の防災用品１４ａ〜１４ｎを個別に購入することが可能である。【選択図】図１
2018193790.tif 000002
【特許請求の範囲】
【請求項１】
所定の災害が発生した場合に利用する各種の防災用品を収納する防災ロッカーにおいて、
前記防災ロッカーが、建築物に施設された宅配ボックスの近傍または該宅配ボックスに一体に設置され、縦方向と横方向との少なくとも一方へ並んでいて各種の防災用品を個別に収納可能な複数の第１〜第ｎ防災用品収納スペースを備え、前記防災ロッカーでは、前記宅配ボックスに設置されたコントロールパネルを利用して前記第１〜第ｎ防災用品収納スペースに収納された所定の防災用品を個別に購入することが可能であることを特徴とする防災ロッカー。
【請求項２】
前記防災ロッカーが、前記第１〜第ｎ防災用品収納スペースに開閉可能に設置され、前記防災用品の非購入時に前記第１〜第ｎ防災用品収納スペースを閉鎖する開閉手段と、前記防災用品の非購入時に前記開閉手段を開閉不能に施錠する施錠手段と、前記宅配ボックスのコントロールパネルを利用し、前記第１〜第ｎ防災用品収納スペースのうちの所定の防災用品収納スペースを特定しつつ特定した防災用品収納スペースに収納された前記防災用品の購入を指示する購入指示手段と、前記購入指示手段によって特定の防災用品収納スペースに収納された防災用品の購入が指示された場合、購入指示があった特定の防災用品収納スペースの施錠を解除して前記開閉手段を開閉可能にする施錠第１解除手段とを含む請求項１に記載の防災ロッカー。
【請求項３】
前記宅配ボックスが、所定の宅配便の収受を管理する遠隔監視・遠隔操作機能を備え、前記防災ロッカーが、前記宅配ボックスの遠隔監視・遠隔操作機能を利用し、前記第１〜第ｎ防災用品収納スペースおいて購入された防災用品の決済を行う決済手段を含む請求項１または請求項２に記載の防災ロッカー。
【請求項４】
前記防災ロッカーが、前記第１〜第ｎ防災用品収納スペースにおける防災用品の非存在を検出する非存在検出手段と、前記非存在検出手段によって前記第１〜第ｎ防災用品収納スペースのいずれかの防災用品収納スペースにおける防災用品の非存在が検出された場合、前記防災用品の非存在が確認された防災用品収納スペースを前記宅配ボックスの遠隔監視・遠隔操作機能を利用して外部に通知する非存在通知手段とを含む請求項３に記載の防災ロッカー。
【請求項５】
前記防災ロッカーが、所定の災害発生信号を受信した場合、前記宅配ボックスのコントローラーからの指令に基づいて前記第１〜第ｎ防災用品収納スペースの施錠を解除し、前記開閉手段を開閉可能にする施錠第２解除手段を含む請求項４に記載の防災ロッカー。
【請求項６】
前記開閉手段が、前記第１〜第ｎ防災用品収納スペースを開閉する開閉扉であり、前記施錠第２解除手段が、前記宅配ボックスの制御システムからの指令に基づいて前記第１〜第ｎ防災用品収納スペースの施錠を解除しつつ前記開閉扉を開放する請求項５に記載の防災ロッカー。
【請求項７】
前記災害発生信号が、公共機関から送信された災害の発生を知らせる緊急公共放送と民間機関から送信された災害の発生を知らせる緊急民間放送との少なくとも一方である請求項５または請求項６に記載の防災ロッカー。
【請求項８】
前記災害発生信号が、災害の発生によって電路を開放し、一次側からの電源供給を遮断する配線用遮断機のＯＦＦ信号である請求項５または請求項６に記載の防災ロッカー。
【請求項９】
前記災害発生信号が、前記防災ロッカーまたは該防災ロッカーの近傍に設置された地震計によって測定された地震の設定値以上の震度信号である請求項５または請求項６に記載の防災ロッカー。
【請求項１０】
前記防災用品が、賞味期限が長い各種の防災食品と前記防災食品以外の各種の防災グッズとのうちの少なくとも該防災食品である請求項１ないし請求項９いずれかに記載の防災ロッカー。
【請求項１１】
前記防災ロッカーが、前記宅配ボックスの近傍または該宅配ボックスに一体に設置され、所定の災害が発生した場合に使用する各種の避難誘導・救助用具、燃焼器具、暖房用具を収納可能な複数の第１〜第ｎ用具・器具収納スペースを含む請求項１ないし請求項１０いずれかに記載の防災ロッカー。
【発明の詳細な説明】
【技術分野】
【０００１】
本発明は、所定の災害が発生した場合に利用する各種の防災用品を収納する防災ロッカーに関する。
【背景技術】
【０００２】
それぞれが扉を備える複数のロッカーボックスと、固有の識別子が記録された記録媒体を非接触通信を利用して読み取る読取装置と、管理者が所持する記録媒体として１つ以上用意された管理者用記録媒体に関する識別子情報を格納する記憶部と、読取装置による読み取り結果と記憶部に格納された情報とに基づいて、複数のロッカーボックスについて扉の施錠や解錠を制御する制御装置とを有するロッカーシステムが開示されている（特許文献１参照）。
【０００３】
制御装置は、読取装置により管理者用記録媒体が連続的に読み取られると、管理者用記録媒体の読み取りパターンを特定し、管理者用記録媒体の読み取りパターンから定められるロッカーボックスについて扉の施錠を解除する。このロッカーシステムは、管理者用記録媒体を１つ以上用意することで、読取装置に対する各種の読み取りパターンを構築することができるから、管理者用記録媒体の読み取りパターンを利用して所望のロッカーボックスについて扉の解錠を行うことができ、利用者が利用する読取装置を用いて管理者が緊急時に扉の施錠を容易に解除することができる。
【先行技術文献】
【特許文献】
【０００４】
【特許文献１】特開２０１６−１５３９４３号公報
【発明の概要】
【発明が解決しようとする課題】
【０００５】
前記特許文献１に開示のロッカーシステムは、緊急時に管理者がロッカーボックスの扉を容易に解錠することはできるから、たとえば、ロッカーボックス内に防災用品を収納した場合において、緊急時に管理者がロッカーボックスの扉の施錠を解除しつつロッカーボックス内の防災用品を取り出すことができる。防災用品は通常災害が発生した場合に利用される物であるが、平常においても有用な物が多く、防災用品のうちの特に防災食品は手軽に食することができるから、平常時においてその需要を見込むことができ、ロッカーボックス内に収納した防災用品を平常時に販売可能にするとともに防災用品を何人も手軽に購入可能にすることが望ましい。また、災害が発生した場合において、防災用品を何人にも円滑に利用させることが必要であり、その場合、ロッカーボックス内に収納した防災用品を何人も直ちに利用可能にすることが望ましい。
【０００６】
前記特許文献１に開示のロッカーシステムは、平常時に必要に応じてロッカーボックス内に収納した防災用品を購入することができず、平常時における防災用品のニーズに応えることができない。また、緊急時に管理者のみがロッカーボックスの扉の施錠を解除するから、管理者の他の居住者や利用者が緊急時にロッカーボックス内に収納した防災用品を直ちに利用することができない。
【０００７】
本発明の目的は、収納された各種の防災用品を必要に応じて平常時に何人も購入することができ、平常時における防災用品のニーズに応えることができる防災ロッカーを提供することにある。本発明の他の目的は、災害が発生した場合において、収納された各種の防災用品を何人も直ちに利用可能にすることができ、防災用品を何時何人にも自由に利用させることができる防災ロッカーを提供することにある。
【課題を解決するための手段】
【０００８】
前記課題を解決するための本発明の前提は、所定の災害が発生した場合に利用する各種の防災用品を収納する防災ロッカーである。
【０００９】
前記前提における本発明の特徴は、防災ロッカーが、建築物に施設された宅配ボックスの近傍または宅配ボックスに一体に設置され、縦方向と横方向との少なくとも一方へ並んでいて各種の防災用品を個別に収納可能な複数の第１〜第ｎ防災用品収納スペースを備え、防災ロッカーでは、宅配ボックスに設置されたコントロールパネルを利用して第１〜第ｎ防災用品収納スペースに収納された所定の防災用品を個別に購入することが可能であることにある。
【００１０】
本発明の一例としては、防災ロッカーが、第１〜第ｎ防災用品収納スペースに開閉可能に設置され、防災用品の非購入時に第１〜第ｎ防災用品収納スペースを閉鎖する開閉手段と、防災用品の非購入時に開閉手段を開閉不能に施錠する施錠手段と、宅配ボックスのコントロールパネルを利用し、第１〜第ｎ防災用品収納スペースのうちの所定の防災用品収納スペースを特定しつつ特定した防災用品収納スペースに収納された防災用品の購入を指示する購入指示手段と、購入指示手段によって特定の防災用品収納スペースに収納された防災用品の購入が指示された場合、購入指示があった特定の防災用品収納スペースの施錠を解除して開閉手段を開閉可能にする施錠第１解除手段とを含む。
【００１１】
本発明の他の一例としては、宅配ボックスが、所定の宅配便の収受を管理する遠隔監視・遠隔操作機能を備え、防災ロッカーが、宅配ボックスの遠隔監視・遠隔操作機能を利用し、第１〜第ｎ防災用品収納スペースおいて購入された防災用品の決済を行う決済手段を含む。
【００１２】
本発明の他の一例としては、防災ロッカーが、第１〜第ｎ防災用品収納スペースにおける防災用品の非存在を検出する非存在検出手段と、非存在検出手段によって第１〜第ｎ防災用品収納スペースのいずれかの防災用品収納スペースにおける防災用品の非存在が検出された場合、防災用品の非存在が確認された防災用品収納スペースを宅配ボックスの遠隔監視・遠隔操作機能を利用して外部に通知する非存在通知手段とを含む。
【００１３】
本発明の他の一例としては、防災ロッカーが、所定の災害発生信号を受信した場合、宅配ボックスのコントローラーからの指令に基づいて第１〜第ｎ防災用品収納スペースの施錠を解除し、開閉手段を開閉可能にする施錠第２解除手段を含む。
【００１４】
本発明の他の一例としては、開閉手段が、第１〜第ｎ防災用品収納スペースを開閉する開閉扉であり、施錠第２解除手段が、宅配ボックスの制御システムからの指令に基づいて第１〜第ｎ防災用品収納スペースの施錠を解除しつつ開閉扉を開放する。
【００１５】
本発明の他の一例としては、災害発生信号が、公共機関から送信された災害の発生を知らせる緊急公共放送と民間機関から送信された災害の発生を知らせる緊急民間放送との少なくとも一方である。
【００１６】
本発明の他の一例としては、災害発生信号が、災害の発生によって電路を開放し、一次側からの電源供給を遮断する配線用遮断機のＯＦＦ信号である。
【００１７】
本発明の他の一例としては、災害発生信号が、防災ロッカーまたは防災ロッカーの近傍に設置された地震計によって測定された地震の設定値以上の震度信号である。
【００１８】
本発明の他の一例としては、防災用品が、賞味期限が長い各種の防災食品と防災食品以外の各種の防災グッズとのうちの少なくとも防災食品である。
【００１９】
本発明の他の一例としては、防災ロッカーが、宅配ボックスの近傍または宅配ボックスに一体に設置され、所定の災害が発生した場合に使用する各種の避難誘導・救助用具、燃焼器具、暖房用具を収納可能な複数の第１〜第ｎ用具・器具収納スペースを含む。
【発明の効果】
【００２０】
本発明に係る防災ロッカーによれば、それが宅配ボックスの近傍または宅配ボックスに一体に設置され、宅配ボックスのコントロールパネルを利用することで第１〜第ｎ防災用品収納スペースに収納された防災用品を個別に購入することが可能であるから、第１〜第ｎ防災用品収納スペースに収納された各種の防災用品を必要に応じて平常時に何人も購入することができ、平常時における防災用品のニーズに応えることができる。防災ロッカーは、災害が発生した場合に第１〜第ｎ防災用品収納スペースに収納された防災用品を利用可能であることはもちろん、宅配ボックスのコントロールパネルを利用した自動販売機としての機能を持たせることで、第１〜第ｎ防災用品収納スペースに収納された各種の防災用品のうちの希望の防災用品を平常時に何人も自由かつ容易に購入することができ、購入した防災用品を平常時の生活用品として利用することができる。
【００２１】
防災用品の非購入時に第１〜第ｎ防災用品収納スペースを閉鎖する開閉手段と、防災用品の非購入時に開閉手段を開閉不能に施錠する施錠手段と、宅配ボックスのコントロールパネルを利用し、第１〜第ｎ防災用品収納スペースのうちの所定の防災用品収納スペースを特定しつつ特定した防災用品収納スペースに収納された防災用品の購入を指示する購入指示手段と、購入指示手段によって特定の防災用品収納スペースに収納された防災用品の購入が指示された場合、購入指示があった特定の防災用品収納スペースの施錠を解除して開閉手段を開閉可能にする施錠第１解除手段とを含む防災ロッカーは、宅配ボックスのコントロールパネルを利用して第１〜第ｎ防災用品収納スペースのうちの所定の防災用品収納スペースを特定するとともに、特定した防災用品収納スペースに収納された防災用品の購入を指示することができるから、宅配ボックスのコントロールパネルを利用した自動販売機としての機能を持たせることで、第１〜第ｎ防災用品収納スペースに収納された各種の防災用品を必要に応じて平常時に何人も自由かつ容易に購入することができ、購入した防災用品を平常時の生活用品として利用することができるとともに、平常時における防災用品のニーズに応えることができる。
【００２２】
宅配ボックスが所定の宅配便の収受を管理する遠隔監視・遠隔操作機能を備え、宅配ボックスの遠隔監視・遠隔操作機能を利用し、第１〜第ｎ防災用品収納スペースおいて購入された防災用品の決済を行う決済手段を含む防災ロッカーは、宅配ボックスの遠隔監視・遠隔操作機能を利用することで、第１〜第ｎ防災用品収納スペースに収納された防災用品の購入にともなう決済を行うことができ、防災ロッカーにおける防災用品の購入から決済までをスムーズに行うことができるとともに、防災ロッカー独自に決済機能を持たせる手間とコストとを省くことができる。
【００２３】
第１〜第ｎ防災用品収納スペースにおける防災用品の非存在を検出する非存在検出手段と、非存在検出手段によって第１〜第ｎ防災用品収納スペースのいずれかの防災用品収納スペースにおける防災用品の非存在が検出された場合、防災用品の非存在が確認された防災用品収納スペースを宅配ボックスの遠隔監視・遠隔操作機能を利用して外部に通知する非存在通知手段とを含む防災ロッカーは、特定の防災用品収納スペースにおいて防災用品が購入された場合、その防災用品収納スペースに防災用品が非存在になるが、非存在検出手段によって防災用品収納スペースにおける防災用品の非存在を検出するとともに、防災用品の非存在が確認された防災用品収納スペースを宅配ボックスの遠隔監視・遠隔操作機能を利用して外部に通知することで、特定の防災用品収納スペースにおける防災用品の非存在を直ちに知ることができ、防災用品を特定の防災用品収納スペースに迅速に補充することができ、平常時における防災用品のニーズに確実に応えることができる。
【００２４】
所定の災害発生信号を受信した場合、宅配ボックスのコントローラーからの指令に基づいて第１〜第ｎ防災用品収納スペースの施錠を解除し、開閉手段を開閉可能にする施錠第２解除手段を含む防災ロッカーは、災害が発生し、所定の災害発生信号を受信した場合、宅配ボックスのコントローラーからの指令に基づいて第１〜第ｎ防災用品収納スペースの全ての施錠を解除するから、第１〜第ｎ防災用品収納スペースに収納された各種の防災用品を何人も直ちに利用可能にすることができ、防災用品を何時何人にも自由に利用させることができる。防災ロッカーは、災害が発生した場合、防災用品を何時何人にも自由に利用させることができるから、災害発生後の衣食住に必要な食料や物資を当面に間供給することができ、災害による食糧不足や物資不足を補うことができる。
【００２５】
開閉手段が第１〜第ｎ防災用品収納スペースを開閉する開閉扉であり、所定の災害発生信号を受信した場合、施錠第２解除手段が宅配ボックスの制御システムからの指令に基づいて第１〜第ｎ防災用品収納スペースの施錠を解除しつつ開閉扉を開放する防災ロッカーは、災害が発生し、所定の災害発生信号を受信した場合、宅配ボックスのコントローラーからの指令に基づいて第１〜第ｎ防災用品収納スペースの全ての施錠を解除しつつ開閉扉を開放するから、防災ロッカーが開放されていることを知らせることができるとともに、第１〜第ｎ防災用品収納スペースに収納された各種の防災用品を何人も直ちに利用可能にすることができ、防災用品を何時何人にも自由に利用させることができる。防災ロッカーは、災害が発生した場合、防災用品を何時に何人にも自由に利用させることができるから、災害発生後の衣食住に必要な食料や物資を当面に間供給することができ、災害による食糧不足や物資不足を補うことができる。
【００２６】
災害発生信号が公共機関から送信された災害の発生を知らせる緊急公共放送と民間機関から送信された災害の発生を知らせる緊急民間放送との少なくとも一方である防災ロッカーは、緊急公共放送と緊急民間放送との少なくとも一方を受信した場合、宅配ボックスのコントローラーからの指令に基づいて第１〜第ｎ防災用品収納スペースの全ての施錠を解除し、または、第１〜第ｎ防災用品収納スペースの全ての施錠を解除しつつ全ての開閉扉を開放するから、第１〜第ｎ防災用品収納スペースに収納された各種の防災用品を何人も直ちに利用可能にすることができ、防災用品を何時何人にも自由に利用させることができる。防災ロッカーは、災害が発生した緊急時に、防災用品を何時に何人にも自由に利用させることができるから、災害発生後の衣食住に必要な食料や物資を当面に間供給することができ、災害による食糧不足や物資不足を補うことができる。
【００２７】
災害発生信号が災害の発生によって電路を開放して一次側からの電源供給を遮断する配線用遮断機のＯＦＦ信号である防災ロッカーは、災害が発生して配線用遮断機が電路を開放し、配線用遮断機からのＯＦＦ信号を受信した場合、宅配ボックスのコントローラーからの指令に基づいて第１〜第ｎ防災用品収納スペースの全ての施錠を解除し、または、第１〜第ｎ防災用品収納スペースの全ての施錠を解除しつつ開閉扉を開放するから、第１〜第ｎ防災用品収納スペースに収納された各種の防災用品を何人も直ちに利用可能にすることができ、防災用品を何時何人にも自由に利用させることができる。防災ロッカーは、災害の発生が原因で配線用遮断機が電路を開放した緊急時に、防災用品を何時に何人にも自由に利用させることができるから、災害発生後の衣食住に必要な食料や物資を当面に間供給することができ、災害による食糧不足や物資不足を補うことができる。
【００２８】
災害発生信号が防災ロッカーまたは防災ロッカーの近傍に設置された地震計によって測定された地震の設定値以上の震度信号である防災ロッカーは、地震計によって測定された地震の設定値以上の震度信号を受信した場合、宅配ボックスのコントローラーからの指令に基づいて第１〜第ｎ防災用品収納スペースの全ての施錠を解除し、または、第１〜第ｎ防災用品収納スペースの全ての施錠を解除しつつ開閉扉を開放するから、第１〜第ｎ防災用品収納スペースに収納された各種の防災用品を何人も直ちに利用可能にすることができ、防災用品を何時何人にも自由に利用させることができる。防災ロッカーは、大きな地震が発生した緊急時に、防災用品を何時に何人にも自由に利用させることができるから、災害発生後の衣食住に必要な食料や物資を当面に間供給することができ、災害による食糧不足や物資不足を補うことができる。
【００２９】
防災用品が賞味期限の長い各種の防災食品と防災食品以外の各種の防災グッズとのうちの少なくとも防災食品である防災ロッカーは、宅配ボックスのコントロールパネルを利用することで第１〜第ｎ防災用品収納スペースに収納された防災食品と防災グッズとのうちの少なくとも防災食品を個別に購入することが可能であるから、第１〜第ｎ防災用品収納スペースに収納された各種の防災食品や防災グッズを必要に応じて平常時に何人も購入することができ、購入した防災食品や防災グッズを平常時の生活用品として利用することができるとともに、平常時における防災食品や防災グッズのニーズに応えることができる。防災ロッカーは、災害が発生した場合、防災食品や防災グッズを何時に何人にも自由に利用させることができるから、災害発生後の衣食住に必要な食料や物資を当面に間供給することができ、災害による食糧不足や物資不足を補うことができる。
【００３０】
宅配ボックスの近傍または宅配ボックスに一体に設置され、所定の災害が発生した場合に使用する各種の避難誘導・救助用具、燃焼器具、暖房用具を収納可能な用具・器具収納スペースを含む防災ロッカーは、災害が発生した場合、用具・器具収納スペースに収納された避難誘導・救助用具や燃焼器具、暖房用具を何時に何人にも自由に利用させることができ、避難誘導・救助用具を利用して避難や救助を行うことができ、燃焼器具を利用して調理を行うことができるとともに、暖房用具を利用して暖房を行うことができる。
【図面の簡単な説明】
【００３１】
【図１】一例として示す防災ロッカーおよび宅配ボックスの斜視図。
【図２】平常時における図１の宅配ボックスの利用の一例を説明する図。
【図３】平常時における図１の防災ロッカーの利用の一例を説明する図。
【図４】災害発生時の災害発生信号の受信を説明する図。
【図５】災害発生信号を受信した場合の図１の防災ロッカーの利用の一例を説明する図。
【図６】平常時における防災ロッカーおよび宅配ボックスの他の一例を示す斜視図。
【図７】配線用遮断機のＯＦＦ信号を受信した場合の図６の防災ロッカーの利用の一例を説明する図。
【図８】平常時における防災ロッカーおよび宅配ボックスの他の一例を示す斜視図。
【図９】震計によって測定された地震の設定値以上の震度信号を受信した場合の図８の防災ロッカーの利用の一例を説明する図。
【発明を実施するための形態】
【００３２】
一例として示す防災ロッカー１０Ａおよび宅配ボックス１１の斜視図である図１等の添付の図面を参照し、本発明に係る防災ロッカーの詳細を説明すると、以下のとおりである。なお、図２は、平常時における宅配ボックス１１の利用の一例を説明する図であり、図３は、平常時における防災ロッカー１０Ａの利用の一例を説明する図である。図１では、縦方向を矢印Ａで示し、横方向を矢印Ｂで示す。図１では、床置き型の防災ロッカー１０Ａ（宅配ボックス１１）を図示しているが、建築物の内壁に嵌め込む嵌め込み型であってもよい。
【００３３】
防災ロッカー１０Ａは、集合住宅（マンション）（建築物）のエントランス（共用部分）やビル（オフィスビル）（建築物）のエントランスに施設された宅配ボックス１１の側方に配置され、宅配ボックス１１と一体になった状態で、集合住宅のエントランスやビルのエントランスに設置されている。なお、防災ロッカー１０Ａが宅配ボックス１１の近傍に離間配置された状態で、防災ロッカー１０Ａが集合住宅のエントランスやビルのエントランスに設置されていてもよい。
【００３４】
防災ロッカー１０Ａは、宅配ボックス１１の側方に位置して縦方向と横方向とへ並ぶ複数の第１〜第１４防災用品収納スペース１２ａ〜１２ｎ（第１〜第１４防災用品収納ボックス）と、宅配ボックス１１およびそれら防災用品収納スペース１２ａ〜１２ｎの上方に位置して横方向へ並ぶ複数の第１〜第２用具・器具収納スペース１３ａ，１３ｂ（第１〜第２用具・器具収納ボックス）とを有する。なお、防災ロッカー１０Ａの防災用品収納スペース１２ａ〜１２ｎや用具・器具収容スペース１３ａ，１３ｂの数について特に制限はなく、任意の数の防災用品収納スペース（第１〜第ｎ防災用品収納スペース）を設置することができるとともに、任意の数の用具・器具収納スペース（第１〜第ｎ用具・器具収納スペース）を設置することができる。
【００３５】
第１〜第１４防災用品収納スペース１２ａ〜１２ｎは、鋼材から作られた天板と底板と後板と両側板とに囲繞された所定容積の空間であり、各種の防災用品を収容可能な大きさを有する。それら防災用品収納スペース１２ａ〜１２ｎには、各種の防災用品１４ａ〜１４ｎ収納されている。各防災用品収納スペース１２ａ〜１２ｎに一種類かつ１つの防災用品１４ａ〜１４ｎが収納されている。防災用品１４ａ〜１４ｎには、賞味期限が長い各種の防災食品と、防災食品以外の各種の防災グッズとが含まれる。
【００３６】
防災食品には、各種のレトルト食品や飲料水、ペットボトル、缶詰、炊き出しセット等の現在販売されているあらゆる防災食品（非常食）のみならず、将来販売される各種の防災食品（非常食）も含まれる。防災グッズには、使い捨てカイロ、使い捨てマスク、電池、市販の薬、ゴーグル、懐中電灯、手袋、ラジオ、太陽光利用充電器、携帯ティッシュ等の現在販売されているあらゆる防災グッズのみならず、将来販売される各種の防災グッズも含まれる。
【００３７】
第１〜第１４防災用品収納スペース１２ａ〜１２ｎには、天板と底板と両側板とに囲繞されて各種の防災用品１４ａ〜１４ｎを出し入れ可能な取り出し開口１５（取り出し口）が作られている。取り出し開口１５には、開口１５を開閉可能な開閉扉１６（開閉手段）が設置されている。開閉扉１６は、透明なガラスや透明なプラスチック製の正面板１７と、正面板１７を取り囲む金属製の枠材１８とから作られている。したがって、正面板１７を透して第１〜第１４防災用品収納スペース１２ａ〜１２ｎを覗くことができ、第１〜第１４防災用品収納スペース１２ａ〜１２ｎに収納された防災用品１４ａ〜１４ｎを外側から視認することができる。
【００３８】
開閉扉１６は、蝶番（図示せず）によって取り出し開口１５を囲繞する側板に開閉可能に取り付けられている。開閉扉１６には電動機（モーター）を利用した開閉機構（図示せず）が設置され、開閉扉１６を手動で開閉することができるのみならず、開閉扉１６が開閉機構によって自動で開放されるとともに自動で閉鎖される。取り出し開口１５を囲繞する側板には、開閉扉１６を施錠する自動錠機構（電気錠）（図示せず）が設置されている。それら防災用品収納スペース１２ａ〜１２ｎでは、各開閉扉１６が自動錠機構によって自動で施錠されるとともに自動で施錠が解除（解錠）される。
【００３９】
第１〜第１４防災用品収納スペース１２ａ〜１２ｎを囲繞する底板には、各防災用品収納スペース１２ａ〜１２ｎにおける防災用品１４ａ〜１４ｎの非存在を検出する非存在検出機構が設置されている。非存在検出機構には、圧力センサや光センサ等が利用され、それらセンサによって各防災用品収納スペース１２ａ〜１２ｎにおける防災用品１４ａ〜１４ｎの有無（存在または非存在）を検出する。第１〜第１４防災用品収納スペース１２ａ〜１２ｎの天板には、各防災用品収納スペース１２ａ〜１２ｎを照らす照明（ＬＥＤ照明等）（図示せず）が設置されている。
【００４０】
第１〜第２用具・器具収納スペース１３ａ，１３ｂは、鋼材から作られた天板と底板と後板と両側板とに囲繞された所定容積の空間であり、所定の災害が発生した場合に使用する各種の避難誘導・救助用具、燃焼器具、暖房用具（図示せず）を収納可能な大きさを有する。避難誘導・救助用具や燃焼器具、暖房用具には、ガスコンロ、救助工具、脚立、ヘルメット、緊急避難用マスク、安全反射蛍光ベスト、三角コーン、非常用簡易トイレ、誘導灯、毛布、誘導灯、カイロ等の現在利用されているあらゆる避難誘導・救助用具、燃焼器具、暖房用具のみならず、将来利用される各種の避難誘導・救助用具、燃焼器具、暖房用具も含まれる。
【００４１】
第１〜第２用具・器具収納スペース１３ａ，１３ｂには、天板と底板と両側板とに囲繞されて各種の避難誘導・救助用具、燃焼器具、暖房用具を出し入れ可能な取り出し開口１９（取り出し口）が作られている。取り出し開口１９には、開口１９を開閉可能な開閉扉２０が設置されている。開閉扉２０は、手動で開閉することができる。取り出し開口１９を囲繞する側板には、開閉扉２０を施錠する錠（図示せず）が設置されている。用具・器具収納スペース１３ａ，１３ｂでは、各開閉扉２０が錠によって施錠される。第１〜第２用具・器具収納スペース１３ａ，１３ｂの天板には、アンテナ（図示せず）が設置されている。
【００４２】
平常時の防災ロッカー１０Ａでは、図１に示すように、各防災用品収納スペース１２ａ〜１２ｎに防災用品１４ａ〜１４ｎが収納され、各防災用品収納スペース１２ａ〜１２ｎの開閉扉１６が閉められて取り出し開口１５が閉鎖され（開閉手段）、開閉扉１６が施錠されて開閉扉１６の開閉が不能になっている（施錠手段）。また、各用具・器具収納スペース１３ａ，１３ｂに避難誘導・救助用具、燃焼器具、暖房用具が収納され、各用具・器具収納スペース１３ａ，１３ｂの開閉扉２０が閉められて取り出し開口１９が閉鎖されている。各用具・器具収納スペース１３ａ，１３ｂの開閉扉２０は、施錠される場合と施錠されない場合とがある。防災ロッカー１０Ａでは、平常時においてそれら防災用品収納スペース１２ａ〜１２ｎに収納された各種の防災用品１４ａ〜１４ｎを購入することができる。また、各用具・器具収納スペース１３ａ，１３ｂに収納された避難誘導・救助用具、燃焼器具、暖房用具を利用することができる。
【００４３】
宅配ボックス１１は、縦方向と横方向とへ並ぶ複数の荷物収納スペース２１ａ〜２１ｋ（荷物収納ボックス）と、荷物（宅配便や配達物）の収納時（預け入れ時）や荷物（宅配便や配達物）の取り出し時（受け取り時）に操作するコントロールパネル２２（液晶タッチパネル）とを有する。宅配ボックス１１には、中央処理部（ＣＰＵまたはＭＰＵ）とメモリ（メインメモリおよびキャッシュメモリ）とを有して独立したオペレーティングシステム（ＯＳ）によって動作する物理的なコントローラー（コンピュータ）（図示せず）非常用電源（バッテリー）とが内蔵され、大容量ハードディスク等の記憶領域が実装されている。なお、荷物収納スペース２１ａ〜２１ｋの数について特に制限はなく、任意の数の荷物収納スペース（第１〜第ｎ荷物収納スペース）を設置することができる。
【００４４】
宅配ボックス１１のコントローラーは、ネットワーク（インターネットやＷＡＮ、ＬＡＮ等）を介して宅配ボックス１１の管理会社に接続されている。宅配ボックス１１は、電気式であって遠隔監視・遠隔操作機能を備えたオンライン方式である。宅配ボックス１１は、センサによって扉２３の開閉や荷物の状態がチェックされ、管理会社の遠隔監視の下、２４時間体制でセキュリティーが確保されている。宅配ボックス１１は、扉２３のこじ開けや盗難時に警報を発する。また、コントロールパネル２２に設置されたスピーカー（図示せず）によって管理会社に音声で連絡することができ、各種の質問に答えることができる。さらに、住戸内のインターホンと連動し、住戸内のインターホンに荷物情報を表示することもできる。なお、宅配ボックスと１１して機械式のそれを利用することもできる。
【００４５】
宅配ボックス１１のコントローラーには、開閉扉１６を自動的に開閉する開閉機構、開閉扉１６を自動的に施錠する自動錠機構、防災用品収納スペース１２ａ〜１２ｎにおける防災用品１４ａ〜１４ｎの非存在を検出する非存在検出機構（圧力センサ光センサ等）、用具・器具収納スペース１３ａ，１３ｂの天板に取り付けられたアンテナがインターフェイスを介して接続されている。宅配ボックス１１の記憶領域には、防災ロッカー１０Ａの第１〜第１４防災用品収納スペース１２ａ〜１２ｎを特定する識別データ（識別子）、各防災用品収納スペース１２ａ〜１２ｎに収納された防災用品１４ａ〜１４ｎを特定する識別データ（識別子）、各防災用品収納スペース１２ａ〜１２ｎに収納された防災用品１４ａ〜１４ｎの値段データ、購入者特定番号、購入者特定番号に対応する購入者氏名が格納（記憶）されている。
【００４６】
平常時において宅配ボックス１１を利用する手順の一例は、以下のとおりである。なお、コントロールパネル２２のディスプレイには、初期画面（図示せず）が表示されている。初期画面には、荷物収納ボタン、荷物受け取りボタン、購入ボタンが表示されている。宅配業者や配達者等が荷物（宅配便や配達物）を宅配ボックスに預け入れる場合、コントロールパネル２２のディスプレイに表示された荷物収納ボタンをタップ（クリック）する。荷物収納ボタンをタップすると、ロック解除ボタンがコントロールパネル２２のディスプレイに表示される。施錠が解除されている荷物収納スペースの開閉扉を開け、荷物をその荷物収納スペースに入れた後、開閉扉を閉める。次に、コントロールパネル２２のディスプレイに表示されたロック解除ボタンをタップする。
【００４７】
ロック解除ボタンをタップすると、暗証番号を入力する暗唱番号入力エリア、暗証番号決定ボタンがコントロールパネル２２のディスプレイに表示される。暗唱番号入力エリアに任意の番号（暗証番号）を入力した後、暗証番号決定ボタンをタップする。暗証番号決定ボタンをタップすると、入力した暗証番号を表示した暗証番号表示エリア、荷物を収納した荷物収納スペースの番号を表示した荷物収納スペース番号表示エリア、ロックボタンがコントロールパネル２２のディスプレイに表示される。ロックボタンをクリックすると、再度暗証番号や荷物収納スペース番号が表示された確認画面が表示され、再度暗証番号や荷物収納スペース番号を確認した後、確認画面の確定ボタンをタップすることで荷物を入れた荷物収納スペース２１ａ〜２１ｋの開閉扉１６が施錠され、荷物の預け入れが完了する。
【００４８】
荷物（宅配便や配達物）の預け入れが完了すると、暗証番号と荷物を入れた荷物収納スペース２１ａ〜２１ｋの番号とを記載した不在配達票が宅配ボックス１１の伝票排出口２４から排出される。その不在配達票を受取人の郵便受け等に入れる。なお、宅配業者や配達者等が不在配達票に暗証番号と荷物を入れた荷物収納スペース２１ａ〜２１ｋの番号とを記載し、その不在配達票を受取人の郵便受け等に入れる場合もある。宅配ボックス１１が住戸内のインターホンと連動する場合は、荷物が届いた連絡データとともに入力された暗証番号および荷物を入れた荷物収納スペース２１ａ〜２１ｋの番号がインターホンのディスプレイに表示される。または、荷物が届いた連絡データのみがインターホンのディスプレイに表示される。
【００４９】
荷物の受取人が荷物を受け取る場合、郵便受け等に入れられた不在配達票を受け取り、コントロールパネル２２のディスプレイに表示された荷物受け取りボタンをタップ（クリック）する。荷物受け取りボタンをタップすると、暗証番号を入力する暗証番号入力エリア、暗証番号確定ボタンがコントロールパネル２２のディスプレイに表示される。不在配達票に記載された暗証番号を暗証番号入力エリアに入力した後、暗証番号確定ボタンをタップする。暗証番号確定ボタンをタップすると、入力した暗証番号を表示した暗証番号表示エリア、荷物を収納した荷物収納スペースの番号を表示した荷物収納スペース番号表示エリア、ロック解除ボタンがコントロールパネル２２のディスプレイに表示される。
【００５０】
ロック解除ボタンをクリックすると、再度暗証番号や荷物収納スペース番号が表示された確認画面が表示される。再度暗証番号や荷物収納スペース番号を確認した後、確認画面の確定ボタンをタップし、入力した暗証番号が一致した場合、荷物を入れた荷物収納スペース２１ａ〜２１ｋの開閉扉１６の施錠が解除される。荷物を入れた荷物収納スペース２１ａ〜２１ｋの開閉扉１６を開け、荷物収納スペース２１ａ〜２１ｋから荷物を取り出した後、荷物収納スペース２１ａ〜２１ｋの開閉扉１６を閉める。
【００５１】
なお、荷物が届いた連絡データのみがインターホンのディスプレイに表示される場合は、荷物の受取人が保持するカードキーをコントロールパネル２２にかざすと、荷物収納スペース番号が表示された確認画面が表示され、荷物収納スペース番号を確認した後、確認画面の確定ボタンをタップし、荷物を入れた荷物収納スペース２１ａ〜２１ｋの開閉扉１６の施錠が解除される。
【００５２】
平常時において防災ロッカー１０Ａの防災用品収納スペース１２ａ〜１２ｎに収納された防災用品１４ａ〜１４ｎを購入する手順の一例は、以下のとおりである。購入者は、コントロールパネル２２のディスプレイに表示された購入ボタンをタップ（クリック）する。購入ボタンをタップすると、購入画面（図示せず）がコントロールパネル２２のディスプレイに表示される。購入画面には、第１〜第１４防災用品収納スペース特定画像が縦横方向に並んだ状態で表示されるとともに、購入者特定番号入力エリア、購入ボタンが表示される。
【００５３】
購入画面に表示された第１〜第１４防災用品収納スペース画像には、防災用品収納スペース１２ａ〜１２ｎの番号、各防災用品収納スペース１２ａ〜１２ｎに収納された防災用品１４ａ〜１４ｎの名称、各防災用品収納スペース１２ａ〜１２ｎに収納された防災用品１４ａ〜１４ｎの画像、各防災用品収納スペース１２ａ〜１２ｎに収納された防災用品１４ａ〜１４ｎの値段が表示される。
【００５４】
第１〜第１４防災用品収納スペース特定ボタンのうちの購入する防災用品１４ａ〜１４ｎを収納した防災用品収納スペース１２ａ〜１２ｎの防災用品収納スペース特定ボタンをタップするとともに、購入者特定番号入力エリアに購入者特定番号（暗証番号）を入力し、購入ボタンをタップする。なお、購入者特定番号は、購入者に事前に割り当てられている。購入ボタンをタップすると、購入確認画面がコントロールパネル２２のディスプレイに表示される。購入確認画面には、防災用品収納スペース特定ボタンによって特定された防災用品収納スペース１２ａ〜１２ｎ（防災用品収納スペース番号を含む）、特定された防災用品収納スペース１２ａ〜１２ｎに収納された防災用品１４ａ〜１４ｎの名称、特定された防災用品収納スペース１２ａ〜１２ｎに収納された防災用品１４ａ〜１４ｎの画像、特定された防災用品収納スペース１２ａ〜１２ｎに収納された防災用品１４ａ〜１４ｎの値段、購入者特定番号、購入者特定番号の購入者氏名、購入確定ボタンが表示される。
【００５５】
購入者は、購入確認画面において、購入する防災用品１４ａ〜１４ｎを再度確認し、間違いがない場合、購入確定ボタンをタップする。購入確定ボタンをタップすると、購入確定信号と特定された防災用品収納スペース１２ａ〜１２ｎの番号（防災用品収納スペース番号）とが宅配ボックス１１のコントローラーに送信される（購入指示手段）。宅配ボックス１１のコントローラーは、特定された防災用品収納スペース１２ａ〜１２ｎの開閉扉１６の施錠解除指令を防災ロッカー１０Ａの自動錠機構（電気錠）に送信する（施錠第１解除手段）。
【００５６】
施錠解除指令を受信した自動錠機構は、特定された防災用品収納スペース１２ａ〜１２ｎの開閉扉１６の施錠を解除し、開閉扉１６を開閉可能にする。開閉扉１６の施錠が解除されると、防災用品１４ａ〜１４ｎの取り出し画面がコントロールパネル２２のディスプレイに表示される。取り出し画面には、防災用品１４ａ〜１４ｎの取り出しＯＫメッセージ、特定された防災用品収納スペース１２ａ〜１２ｎの番号、特定された防災用品収納スペース１２ａ〜１２ｎに収納された防災用品１４ａ〜１４ｎの値段、購入者特定番号、購入者特定番号の購入者氏名が表示される。
【００５７】
購入者は、購入する防災用品１４ａ〜１４ｎを収納した防災用品収納スペース１２ａ〜１２ｎの開閉扉１６を開け、その防災用品収納スペース１２ａ〜１２ｎに収納された防災用品１４ａ〜１４ｎを取り出し開口１５から取り出した後、開閉扉１６閉めて防災用品収納スペース１２ａ〜１２ｎの取り出し開口１５を閉じる。防災用品収納スペース１２ａ〜１２ｎから防災用品１４ａ〜１４ｎが取り出されると、非存在検出機構によって防災用品収納スペース１２ａ〜１２ｎにおける防災用品１４ａ〜１４ｎの非存在が検出され（非存在検出手段）、防災用品収納スペース１２ａ〜１２ｎにおける防災用品１４ａ〜１４ｎの非存在信号が宅配ボックス１１のコントローラーに送信される。
【００５８】
非存在信号を受信した宅配ボックス１１のコントローラーは、購入者特定番号（暗証番号）、防災用品収納スペース１２ａ〜１２ｎから取り出された防災用品１４ａ〜１４ｎの名称、防災用品収納スペース１２ａ〜１２ｎから取り出された防災用品１４ａ〜１４ｎの値段、防災用品１４ａ〜１４ｎが取り出された防災用品収納スペース１２ａ〜１２ｎ（防災用品１４ａ〜１４ｎが非存在の防災用品収納スペース１２ａ〜１２ｎ）の番号、防災用品１４ａ〜１４ｎの非存在メッセージをネットワークを介して（遠隔監視・遠隔操作機能を利用して）宅配ボックス１１の管理会社（外部）に送信する（非存在通知手段）。購入された防災用品の金額や名称を記載した購入明細票が宅配ボックス１１の伝票排出口２４から排出される。
【００５９】
管理会社は、購入された防災用品１４ａ〜１４ｎの金額や名称、引き落とし日等を記載した明細書（請求書）をネットワークを介して購入者に送信する。購入された防災用品１４ａ〜１４ｎの金額は、後日購入者の口座から引き落とされる。防災ロッカー１０Ａでは、宅配ボックス１１の遠隔監視・遠隔操作機能を利用し、第１〜第１４防災用品収納スペース１２ａ〜１２ｎおいて購入された防災用品１４ａ〜１４ｎの決済を行う（決済手段）。
【００６０】
管理会社は、所定の間隔で防災ロッカー１０Ａのメンテナンスを行い、防災用品１４ａ〜１４ｎが取り出された防災用品収納スペース１２ａ〜１２ｎ（防災用品１４ａ〜１４ｎが非存在の防災用品収納スペース１２ａ〜１２ｎ）にあらたな防災用品１４ａ〜１４ｎを補充する。防災用品１４ａ〜１４ｎが取り出された防災用品収納スペース１２ａ〜１２ｎに防災用品１４ａ〜１４ｎが補充されると、非存在検出機構によって防災用品収納スペース１２ａ〜１２ｎにおける防災用品１４ａ〜１４ｎの存在信号が宅配ボックス１１のコントローラーに送信され、その防災用品収納スペース１２ａ〜１２ｎにおいて防災用品１４ａ〜１４ｎの購入が可能になる。
【００６１】
なお、平常時において、管理会社、集合住宅（マンション）やビル（オフィスビル）の管理人は、コントロールパネル２２から所定の暗証番号を入力することで、防災ロッカー１０Ａの防災用品収納スペース１２ａ〜１２ｎや宅配ボックス１１の荷物収納スペース２１ａ〜２１ｋの施錠を解除することができ、防災用品収納スペース１２ａ〜１２ｎの開閉扉１５や荷物収納スペース２１ａ〜２１ｋの開閉扉２０を開けることができる。
【００６２】
防災ロッカー１０Ａは、それが宅配ボックス１１に一体に設置され、宅配ボックス１１のコントロールパネル２２を利用して第１〜第１４防災用品収納スペース１２ａ〜１２ｎ（第１〜第ｎ防災用品収納スペース）のうちの所定の防災用品収納スペース１２ａ〜１２ｎを特定するとともに、特定した防災用品収納スペース１２ａ〜１２ｎに収納された防災用品１４ａ〜１４ｎの購入を指示し、宅配ボックス１１を利用することで第１〜第１４防災用品収納スペース１２ａ〜１２ｎに収納された防災用品１４ａ〜１４ｎを個別に購入することが可能であるから、第１〜第１４防災用品収納スペース１２ａ〜１２ｎに収納された各種の防災用品１４ａ〜１４ｎを必要に応じて平常時に何人も購入することができ、平常時における防災用品１４ａ〜１４ｎのニーズに応えることができる。
【００６３】
防災ロッカー１０Ａは、宅配ボックス１１のコントロールパネル２２を利用した自動販売機としての機能を持たせることで、第１〜第１４防災用品収納スペース１２ａ〜１２ｎに収納された各種の防災用品１４ａ〜１４ｎのうちの希望の防災用品１４ａ〜１４ｎを平常時に何人も自由かつ容易に購入することができ、購入した防災用品１４ａ〜１４ｎを平常時の生活用品として利用することができる。  防災ロッカー１０Ａは、宅配ボックス１１の遠隔監視・遠隔操作機能を利用することで、第１〜第１４防災用品収納スペース１２ａ〜１２ｎに収納された防災用品１４ａ〜１４ｎの購入にともなう決済を行うことができ、防災ロッカー１０Ａにおける防災用品１４ａ〜１４ｎの購入から決済までをスムーズに行うことができるとともに、防災ロッカー１０Ａ独自に決済機能を持たせる手間とコストとを省くことができる。
【００６４】
防災ロッカー１０Ａは、特定の防災用品収納スペース１２ａ〜１２ｎにおいて防災用品１４ａ〜１４ｎが購入された場合、その防災用品収納スペース１２ａ〜１２ｎに防災用品１４ａ〜１４ｎが非存在（無し）になるが、非存在検出手段によって防災用品収納スペース１２ａ〜１２ｎにおける防災用品１４ａ〜１４ｎの非存在を検出するとともに、防災用品１４ａ〜１４ｎの非存在が確認された防災用品収納スペース１２ａ〜１２ｎを宅配ボックス１１の遠隔監視・遠隔操作機能を利用して管理会社（外部）に通知することで、管理会社（外部）が特定の防災用品収納スペース１２ａ〜１２ｎにおける防災用品１４ａ〜１４ｎの非存在を直ちに知ることができ、防災用品１４ａ〜１４ｎを特定の防災用品収納スペース１２ａ〜１２ｎに迅速に補充することができるとともに、平常時における防災用品１４ａ〜１４ｎのニーズに確実に応えることができる。
【００６５】
図４は、災害発生時の災害発生信号の受信を説明する図であり、図５は、災害発生信号を受信した場合の防災ロッカー１０Ａの利用の一例を説明する図である。防災ロッカー１０Ａ（宅配ボックス１１）が設置された集合住宅やビルが存在する地域に地震、大規模火災、火山噴火、異常気象、放射能漏れ事故や原発事故、テロ事件等の災害が発生した場合、各省庁（国土交通省、防衛庁、警察庁、気象庁、環境庁、消防庁等）、地方自治体や国・地方公共団体等の公共機関２５から災害の発生を知らせる（災害・防災の各種情報を含む）緊急公共放送（災害発生信号）が送信されるとともに、民間放送会社や民間気象事業者等の民間機関２６から災害の発生を知らせる（災害・防災の各種情報を含む）緊急民間放送（災害発生信号）が送信される。
【００６６】
公共機関２５から送信された緊急公共放送（災害発生信号）や民間機関２６から送信された緊急民間放送（災害発生信号）は、防災ロッカー１０Ａに設置されたアンテナに受信される。アンテナが受信した地震に対する緊急公共放送や緊急民間放送は、アンテナから宅配ボックス１１に内蔵されたコントローラーに送信され、コントローラーに受信される（緊急信号受信手段）。アンテナから緊急公共放送や緊急民間放送を受信したコントローラーは、第１〜第１４防災用品収納スペース１２ａ〜１２ｎの全ての自動錠機構（電気錠）に施錠解除信号を送信するとともに、開閉機構に第１〜第１４防災用品収納スペース１２ａ〜１２ｎの開閉扉１６の開放信号を送信する。
【００６７】
なお、緊急公共放送（災害発生信号）と緊急民間放送（災害発生信号）との両者または緊急公共放送（災害発生信号）と緊急民間放送（災害発生信号）とのいずれか一方をアンテナが受信した場合、アンテナから緊急公共放送や緊急民間放送がコントローラーに受信され（緊急信号受信手段）、コントローラーから施錠解除信号や開閉扉１６の開放信号が送信される。
【００６８】
コントローラーから施錠解除信号を受信した自動錠機構は、第１〜第１４防災用品収納スペース１２ａ〜１２ｎの開閉扉１６の施錠を解除し、コントローラーから開放信号を受信した開閉機構は、開閉扉１６を開放し、図５に示すように、第１〜第１４防災用品収納スペース１２ａ〜１２ｎの開閉扉１６の全てが開けられる（施錠第２解除手段）。なお、コントローラーが第１〜第１４防災用品収納スペースの全ての自動錠機構（電気錠）に施錠解除信号のみを送信し、自動錠機構が第１〜第１４防災用品収納スペース１２ａ〜１２ｎの開閉扉１６の施錠を解除し、開閉扉１６の開放が行われない場合がある。なお、災害によって電源が遮断された場合、防災ロッカー１０Ａや宅配ボックス１１の電源としては非常用電源（バッテリー）が利用される。
【００６９】
防災ロッカー１０Ａでは、第１〜第１４防災用品収納スペース１２ａ〜１２ｎの開閉扉１６の全てが開放され、または、第１〜第１４防災用品収納スペース１２ａ〜１２ｎの開閉扉１６の施錠が解除されることで、第１〜第１４防災用品収納スペース１２ａ〜１２ｎに収納された防災用品１４ａ〜１４ｎを取り出すことができ、防災用品１４ａ〜１４ｎを何時に何人も利用することができる。また、第１〜第２用具・器具収納スペース１３ａ，１３ｂに収納された避難誘導・救助用具、燃焼器具、暖房用具を取り出してそれらを利用することができる。
【００７０】
防災ロッカー１０Ａは、災害が発生し、公共機関２５から送信された緊急公共放送と民間機関２６から送信された緊急民間放送との少なくとも一方を受信した場合、宅配ボックス１１のコントローラーからの指令に基づいて第１〜第１４防災用品収納スペース１２ａ〜１２ｎ（第１〜第ｎ防災用品収納スペース）の全ての施錠を解除し、または、第１〜第１４防災用品収納スペース１２ａ〜１２ｎの全ての施錠を解除しつつ全ての開閉扉１６を開放するから、第１〜第１４防災用品収納スペース１２ａ〜１２ｎに収納された各種の防災用品１４ａ〜１４ｎを何人も直ちに利用可能にすることができ、防災用品１４ａ〜１４ｎを何時何人にも自由に利用させることができる。
【００７１】
防災ロッカー１０Ａは、災害が発生した緊急時に、防災用品１４ａ〜１４ｎを何時に何人にも自由に利用させることができるから、災害発生後の衣食住に必要な食料や物資を当面に間供給することができ、災害による食糧不足や物資不足を補うことができる。防災ロッカー１０Ａは、災害が発生した場合、用具・器具収納スペース１３ａ，１３ｂに収納された避難誘導・救助用具や燃焼器具、暖房用具を何時に何人にも自由に利用させることができ、避難誘導・救助用具を利用して避難や救助を行うことができ、燃焼器具を利用して調理を行うことができるとともに、暖房用具を利用して暖房を行うことができる。
【００７２】
災害が発生した後、災害が沈静または回避された場合、安全宣言や終息宣言、帰還許可宣言等の平常公共放送（平常信号）が公共機関２５から送信され、または、平常民間放送（平常信号）が民間機関２６から送信される。公共機関２５から送信された平常公共放送と民間機関２６から送信された平常民間放送とのうちの少なくとも一方がアンテナに受信された場合、アンテナが受信した平常公共放送（平常信号）や平常民間放送（平常信号）がアンテナから宅配ボックス１１に内蔵されたコントローラーに送信され、平常公共放送（平常信号）や平常民間放送（平常信号）をコントローラーが受信する（平常信号受信手段）。
【００７３】
アンテナから平常公共放送や平常民間放送を受信したコントローラーは、開閉機構に第１〜第１４防災用品収納スペース１２ａ〜１２ｎの開閉扉１６の閉鎖信号を送信するとともに、第１〜第１４防災用品収納スペース１２ａ〜１２ｎの自動錠機構（電気錠）に施錠信号を送信する。コントローラーから閉鎖信号を受信した開閉機構は、開閉扉１６を閉鎖し、第１〜第１４防災用品収納スペース１２ａ〜１２ｎの開閉扉１６の全てを閉め、コントローラーから施錠信号を受信した自動錠機構は、第１〜第１４防災用品収納スペース１２ａ〜１２ｎの開閉扉１６の全てを施錠する（施錠手段）。
【００７４】
防災ロッカー１０Ａは、災害が発生した後、災害が沈静または回避され、防災用品１４ａ〜１４ｎを提供する必要がなくなった場合、開放された第１〜第１４防災用品収納スペース１２ａ〜１２ｎの開閉扉１６を閉鎖し、第１〜第１４防災用品収納スペース１２ａ〜１２ｎの開閉扉１６を施錠するから、防災用品１４ａ〜１４ｎの不必要な持ち出しや不本意な盗難を防ぐことができ、防災用品１４ａ〜１４ｎの無駄を省くことができる。
【００７５】
図６は、平常時における防災ロッカー１０Ｂおよび宅配ボックス１１の他の一例を示す斜視図であり、図７は、配線用遮断機２７のＯＦＦ信号を受信した場合の防災ロッカー１０Ｂの利用の一例を説明する図である。この防災ロッカー１０Ｂが図１のそれと異なるところは、防災ロッカー１０Ｂにアンテナが取り付けられておらず、宅配ボックス１１のコントローラーに配線用遮断機２７（ブレーカー）のブレーカースイッチ２８のＯＮ信号またはＯＦＦ信号が送信される点にある。防災ロッカー１０Ｂのその他の構成は図１の防災ロッカー１０Ａのそれらと同一であるから、図１と同一の符号を付すとともに、図１の説明を援用することで、防災ロッカー１０Ｂのその他の構成の詳細な説明は省略する。
【００７６】
防災ロッカー１０Ｂは、防災ロッカー１０Ａと同様に、集合住宅（マンション）（建築物）のエントランス（共用部分）やビル（オフィスビル）（建築物）のエントランスに施設された宅配ボックス１１の側方に配置され、宅配ボックス１１と一体になった状態で、集合住宅のエントランスやビルのエントランスに設置されている。なお、防災ロッカー１０Ｂが宅配ボックス１１の近傍に離間配置された状態で、防災ロッカー１０Ｂが集合住宅のエントランスやビルのエントランスに設置されていてもよい。
【００７７】
防災ロッカー１０Ｂは、宅配ボックス１１の側方に位置して縦方向と横方向とへ並ぶ複数の第１〜第１４防災用品収納スペース１２ａ〜１２ｎ（第１〜第ｎ防災用品収納ボックス）と、宅配ボックス１１およびそれら防災用品収納スペース１２ａ〜１２ｎの上方に位置して横方向へ並ぶ複数の第１〜第２用具・器具収納スペース１３ａ，１３ｂ（第１〜第ｎ用具・器具収納ボックス）とを有する。第１〜第１４防災用品収納スペース１２ａ〜１２ｎや第１〜第２用具・器具収納スペース１３ａ，１３ｂは、図１の防災ロッカー１０Ａのそれらと同一である。
【００７８】
防災ロッカー１０Ｂでは、第１〜第１４防災用品収納スペース１２ａ〜１２ｎの取り出し開口１５に開閉扉１６（開閉手段）が設置され、電動機を利用した開閉機構が開閉扉１６に設置されている。開閉扉１６を施錠する自動錠機構（電気錠）が取り出し開口１５の側板に設置され、各防災用品収納スペース１２ａ〜１２ｎにおける防災用品１４ａ〜１４ｎの非存在を検出する非存在検出機構が第１〜第１４防災用品収納スペース１２ａ〜１２ｎの底板に設置されている。さらに、各防災用品収納スペース１２ａ〜１２ｎを照らす照明が第１〜第１４防災用品収納スペース１２ａ〜１２ｎの天板に設置されている。防災ロッカー１０Ｂでは、第１〜第２用具・器具収納スペース１３ａ，１３ｂの取り出し開口１９に開閉扉２０が設置され、開閉扉２０を施錠する錠が取り出し開口１９の側板に設置されている。
【００７９】
宅配ボックス１１は図１のそれと同一であるから、図１と同一の符号を付すとともに、図１の説明を援用することで、宅配ボックス１１の詳細な説明は省略する。宅配ボックス１１は、縦方向と横方向とへ並ぶ複数の荷物収納スペース２１ａ〜２１ｋ（荷物収納ボックス）と、荷物（宅配便や配達物）の収納時（預け入れ時）や荷物（宅配便や配達物）の取り出し時（受け取り時）に操作するコントロールパネル２２（液晶タッチパネル）とを有する。宅配ボックス１１には、コントローラー（コンピュータ）（図示せず）と非常用電源（バッテリー）とが内蔵され、大容量ハードディスク等の記憶領域が実装されている。宅配ボックス１１のコントローラーは、ネットワーク（インターネットやＷＡＮ、ＬＡＮ）を介して宅配ボックス１１の管理会社に接続されている。荷物収納スペース２１ａ〜２１ｋは、図１の宅配ボックス１１のそれと同一である。
【００８０】
宅配ボックス１１のコントローラーには、開閉扉１６を自動的に開閉する開閉機構、開閉扉１６を自動的に施錠する自動錠機構、防災用品収納スペース１２ａ〜１２ｎにおける防災用品１４ａ〜１４ｎの非存在を検出する非存在検出機構（圧力センサ光センサ等）、配線用遮断機２７（ブレーカー）がインターフェイスを介して接続されている。平常時では、配線用遮断機２７（ブレーカー）からブレーカースイッチ２８のＯＮ信号が宅配ボックス１１のコントローラーに送信されている。
【００８１】
宅配ボックス１１の記憶領域には、防災ロッカー１０Ｂの第１〜第１４防災用品収納スペース１２ａ〜１２ｎを特定する識別データ（識別子）、各防災用品収納スペース１２ａ〜１２ｎに収納された防災用品１４ａ〜１４ｎを特定する識別データ（識別子）、各防災用品収納スペース１２ａ〜１２ｎに収納された防災用品１４ａ〜１４ｎの値段データ、購入者特定番号、購入者特定番号に対応する購入者氏名が格納（記憶）されている。
【００８２】
平常時では、配線用遮断機２７（ブレーカー）が電路を閉鎖（ブレーカースイッチ２８がＯＮ）し、配線用遮断機２７からブレーカースイッチ２８のＯＮ信号が宅配ボックス１１のコントローラーに送信されている。平常時の防災ロッカー１０Ｂでは、図６に示すように、各防災用品収納スペース１２ａ〜１２ｎに防災用品１４ａ〜１４ｎが収納され、各防災用品収納スペース１２ａ〜１２ｎの開閉扉１６が閉められて取り出し開口１５が閉鎖され（開閉手段）、開閉扉１６が施錠されて開閉扉１６の開閉が不能になっている（施錠手段）。
【００８３】
平常時では、各用具・器具収納スペース１３ａ，１３ｂに避難誘導・救助用具、燃焼器具、暖房用具が収納され、各用具・器具収納スペース１３ａ，１３ｂの開閉扉２０が閉められて取り出し開口１９が閉鎖されている。防災ロッカー１０Ｂでは、平常時においてそれら防災用品収納スペース１２ａ〜１２ｎに収納された各種の防災用品１４ａ〜１４ｎを購入することができる。また、各用具・器具収納スペース１３ａ，１３ｂに収納された避難誘導・救助用具、燃焼器具、暖房用具を利用することができる。
【００８４】
平常時における宅配ボックス１１の利用手順は図１の宅配ボックス１１のそれと同一であるから、図１の宅配ボックス１１の利用手順の説明を援用することで、宅配ボックス１１の利用手順の説明は省略する。宅配ボックス１１のコントローラーにブレーカースイッチ２８のＯＮ信号が送信されている平常時の防災ロッカー１０Ｂにおける防災用品１４ａ〜１４ｎの購入手順は、平常時の防災ロッカー１０Ａにおける防災用品１４ａ〜１４ｎの購入手順と同一であるから、図１の防災ロッカー１０Ａの購入手順の説明を援用することで、平常時における防災ロッカー１０Ｂの防災用品１４ａ〜１４ｎの購入手順の説明は省略する。
【００８５】
なお、平常時において、管理会社、集合住宅（マンション）やビル（オフィスビル）の管理人は、コントロールパネル２２から所定の暗証番号を入力することで、防災ロッカー１０Ｂの防災用品収納スペース１２ａ〜１２ｎや宅配ボックス１１の荷物収納スペース２１ａ〜２１ｋの施錠を解除することができ、防災用品収納スペース１２ａ〜１２ｎの開閉扉１５や荷物収納スペース２１ａ〜２１ｋの開閉扉２０を開けることができる。
【００８６】
防災ロッカー１０Ｂは、それが宅配ボックス１１に一体に設置され、宅配ボックス１１のコントロールパネル２２を利用して第１〜第１４防災用品収納スペース１２ａ〜１２ｎ（第１〜第ｎ防災用品収納スペース）のうちの所定の防災用品収納スペース１２ａ〜１２ｎを特定するとともに、特定した防災用品収納スペース１２ａ〜１２ｎに収納された防災用品１４ａ〜１４ｎの購入を指示し、宅配ボックス１１を利用することで第１〜第１４防災用品収納スペース１２ａ〜１２ｎに収納された防災用品１４ａ〜１４ｎを個別に購入することが可能であるから、第１〜第１４防災用品収納スペース１２ａ〜１２ｎに収納された各種の防災用品１４ａ〜１４ｎを必要に応じて平常時に何人も購入することができ、平常時における防災用品１４ａ〜１４ｎのニーズに応えることができる。
【００８７】
防災ロッカー１０Ｂは、宅配ボックス１１のコントロールパネル２２を利用した自動販売機としての機能を持たせることで、第１〜第１４防災用品収納スペース１２ａ〜１２ｎに収納された各種の防災用品１４ａ〜１４ｎのうちの希望の防災用品１４ａ〜１４ｎを平常時に何人も自由かつ容易に購入することができ、購入した防災用品１４ａ〜１４ｎを平常時の生活用品として利用することができる。  防災ロッカー１０Ｂは、宅配ボックス１１の遠隔監視・遠隔操作機能を利用することで、第１〜第１４防災用品収納スペース１２ａ〜１２ｎに収納された防災用品１４ａ〜１４ｎの購入にともなう決済を行うことができ、防災ロッカー１０Ｂにおける防災用品１４ａ〜１４ｎの購入から決済までをスムーズに行うことができるとともに、防災ロッカー１０Ａ独自に決済機能を持たせる手間とコストとを省くことができる。
【００８８】
防災ロッカー１０Ｂは、特定の防災用品収納スペース１２ａ〜１２ｎにおいて防災用品１４ａ〜１４ｎが購入された場合、その防災用品収納スペース１２ａ〜１２ｎに防災用品１４ａ〜１４ｎが非存在（無し）になるが、非存在検出手段によって防災用品収納スペース１２ａ〜１２ｎにおける防災用品１４ａ〜１４ｎの非存在を検出するとともに、防災用品１４ａ〜１４ｎの非存在が確認された防災用品収納スペース１２ａ〜１２ｎを宅配ボックス１１の遠隔監視・遠隔操作機能を利用して管理会社（外部）に通知することで、管理会社（外部）が特定の防災用品収納スペース１２ａ〜１２ｎにおける防災用品１４ａ〜１４ｎの非存在を直ちに知ることができ、防災用品１４ａ〜１４ｎを特定の防災用品収納スペース１２ａ〜１２ｎに迅速に補充することができるとともに、平常時における防災用品１４ａ〜１４ｎのニーズに確実に応えることができる。
【００８９】
防災ロッカー１０Ｂ（宅配ボックス１１）が設置された集合住宅やビルが存在する地域に地震、大規模火災、異常気象、漏電事故等の災害が発生し、電路に異常が発生した場合、配線用遮断機２７（ブレーカー）が電路を開放（ブレーカースイッチ２８がＯＦＦ）し、一次側からの電源供給を遮断する。配線用遮断機２７が電路を開放した場合、配線用遮断機２７からブレーカースイッチ２８のＯＦＦ信号が宅配ボックス１１のコントローラーに送信され、ＯＦＦ信号がコントローラーに受信される（緊急信号受信手段）。ブレーカースイッチ２８のＯＦＦ信号を受信したコントローラーは、第１〜第１４防災用品収納スペース１２ａ〜１２ｎの全ての自動錠機構（電気錠）に施錠解除信号を送信するとともに、開閉機構に第１〜第１４防災用品収納スペース１２ａ〜１２ｎの開閉扉１６の開放信号を送信する。
【００９０】
コントローラーから施錠解除信号を受信した自動錠機構は、第１〜第１４防災用品収納スペース１２ａ〜１２ｎの開閉扉１６の施錠を解除し、コントローラーから開放信号を受信した開閉機構は、開閉扉１６を開放し、図７に示すように、第１〜第１４防災用品収納スペース１２ａ〜１２ｎの開閉扉１６の全てが開けられる（施錠第２解除手段）。なお、コントローラーが第１〜第１４防災用品収納スペースの全ての自動錠機構（電気錠）に施錠解除信号にみを送信し、自動錠機構が第１〜第１４防災用品収納スペース１２ａ〜１２ｎの開閉扉１６の施錠を解除し、開閉扉１６の開放が行われない場合がある。なお、防災ロッカー１０Ｂや宅配ボックス１１の電源としては非常用電源（バッテリー）が利用される。
【００９１】
防災ロッカー１０Ｂでは、第１〜第１４防災用品収納スペース１２ａ〜１２ｎの開閉扉１６の全てが開放され、または、第１〜第１４防災用品収納スペース１２ａ〜１２ｎの開閉扉１６の施錠が解除されることで、第１〜第１４防災用品収納スペース１２ａ〜１２ｎに収納された防災用品１４ａ〜１４ｎを取り出すことができ、防災用品１４ａ〜１４ｎを何時に何人も利用することができる。また、第１〜第２用具・器具収納スペース１３ａ，１３ｂに収納された避難誘導・救助用具、燃焼器具、暖房用具を取り出してそれらを利用することができる。
【００９２】
防災ロッカー１０Ｂは、災害等の所定の原因によって電路に異常が発生し、配線用遮断機２７（ブレーカー）が電路を開放し、ブレーカースイッチ２８のＯＦＦ信号が宅配ボックス１１のコントローラーに送信された場合（宅配ボックス１１のコントローラーが配線用遮断機２７のＯＦＦ信号を受信した場合）、宅配ボックス１１のコントローラーからの指令に基づいて第１〜第１４防災用品収納スペース１２ａ〜１２ｎ（第１〜第ｎ防災用品収納スペース）の全ての施錠を解除し、または、第１〜第１４防災用品収納スペース１２ａ〜１２ｎの全ての施錠を解除しつつ全ての開閉扉１６を開放するから、第１〜第１４防災用品収納スペース１２ａ〜１２ｎに収納された各種の防災用品１４ａ〜１４ｎを何人も直ちに利用可能にすることができ、防災用品１４ａ〜１４ｎを何時何人にも自由に利用させることができる。
【００９３】
防災ロッカー１０Ｂは、災害の発生が原因で配線用遮断機２７が電路を開放した緊急時に、防災用品１４ａ〜１４ｎを何時に何人にも自由に利用させることができるから、災害発生後の衣食住に必要な食料や物資を当面に間供給することができ、災害による食糧不足や物資不足を補うことができる。防災ロッカー１０Ｂは、災害が発生した場合、用具・器具収納スペース１３ａ，１３ｂに収納された避難誘導・救助用具や燃焼器具、暖房用具を何時に何人にも自由に利用させることができ、避難誘導・救助用具を利用して避難や救助を行うことができ、燃焼器具を利用して調理を行うことができるとともに、暖房用具を利用して暖房を行うことができる。
【００９４】
配線用遮断機２７（ブレーカー）によって電路が開放（ブレーカースイッチ２８がＯＦＦ）された後、配線用遮断機２７（ブレーカー）によって電路を閉鎖（ブレーカースイッチ２８がＯＮ）した場合、配線用遮断機２７からブレーカースイッチ２８のＯＮ信号が宅配ボックス１１のコントローラーに送信され、ＯＮ信号をコントローラーが受信する（ＯＮ信号受信手段）。ブレーカースイッチ２８のＯＮ信号を受信したコントローラーは、開閉機構に第１〜第１４防災用品収納スペース１２ａ〜１２ｎの開閉扉１６の閉鎖信号を送信するとともに、第１〜第１４防災用品収納スペース１２ａ〜１２ｎの自動錠機構（電気錠）に施錠信号を送信する。コントローラーから閉鎖信号を受信した開閉機構は、開閉扉１６を閉鎖し、第１〜第１４防災用品収納スペース１２ａ〜１２ｎの開閉扉１６の全てを閉め、コントローラーから施錠信号を受信した自動錠機構は、第１〜第１４防災用品収納スペース１２ａ〜１２ｎの開閉扉１６の全てを施錠する（施錠手段）。
【００９５】
防災ロッカー１０Ｂは、災害が発生し、配線用遮断機２７（ブレーカー）によって電路が開放（ブレーカースイッチ２８がＯＦＦ）された後、防災用品１４ａ〜１４ｎを提供する必要がなくなり、配線用遮断機２７（ブレーカー）によって電路を閉鎖（ブレーカースイッチ２８がＯＮ）した場合、開放された第１〜第１４防災用品収納スペース１２ａ〜１２ｎの開閉扉１６を閉鎖し、第１〜第１４防災用品収納スペース１２ａ〜１２ｎの開閉扉１６を施錠するから、防災用品１４ａ〜１４ｎの不必要な持ち出しや不本意な盗難を防ぐことができ、防災用品１４ａ〜１４ｎの無駄を省くことができる。
【００９６】
図８は、平常時における防災ロッカー１０Ｃおよび宅配ボックス１１の他の一例を示す斜視図であり、図９は、地震計によって測定された地震の設定値以上の震度信号を受信した場合の防災ロッカー１０Ｃの利用の一例を説明する図である。この防災ロッカー１０Ｃが図１のそれと異なるところは、防災ロッカー１０Ｃにアンテナが取り付けられておらず、宅配ボックス１１のコントローラーに地震計２９によって測定された地震の震度信号が送信される点にある。防災ロッカー１０Ｃのその他の構成は図１の防災ロッカー１０Ａのそれらと同一であるから、図１と同一の符号を付すとともに、図１の説明を援用することで、防災ロッカー１０Ｃのその他の構成の詳細な説明は省略する。
【００９７】
防災ロッカー１０Ｃは、防災ロッカー１０Ａと同様に、集合住宅（マンション）（建築物）のエントランス（共用部分）やビル（オフィスビル）（建築物）のエントランスに施設された宅配ボックス１１の側方に配置され、宅配ボックス１１と一体になった状態で、集合住宅のエントランスやビルのエントランスに設置されている。なお、防災ロッカー１０Ｃが宅配ボックス１１の近傍に離間配置された状態で、防災ロッカー１０Ｃが集合住宅のエントランスやビルのエントランスに設置されていてもよい。
【００９８】
防災ロッカー１０Ｃは、宅配ボックス１１の側方に位置して縦方向と横方向とへ並ぶ複数の第１〜第１４防災用品収納スペース１２ａ〜１２ｎ（第１〜第１４防災用品収納ボックス）と、宅配ボックス１１およびそれら防災用品収納スペース１２ａ〜１２ｎの上方に位置して横方向へ並ぶ複数の第１〜第２用具・器具収納スペース１３ａ，１３ｂ（第１〜第２用具・器具収納ボックス）とを有する。第１〜第１４防災用品収納スペース１２ａ〜１２ｎや第１〜第２用具・器具収納スペース１３ａ，１３ｂは、図１の防災ロッカー１０Ａのそれらと同一である。
【００９９】
防災ロッカー１０Ｃでは、第１〜第１４防災用品収納スペース１２ａ〜１２ｎの取り出し開口１５に開閉扉１６（開閉手段）が設置され、電動機を利用した開閉機構が開閉扉１６に設置されている。開閉扉１６を施錠する自動錠機構（電気錠）が取り出し開口１５の側板に設置され、各防災用品収納スペース１２ａ〜１２ｎにおける防災用品１４ａ〜１４ｎの非存在を検出する非存在検出機構が第１〜第１４防災用品収納スペース１２ａ〜１２ｎの底板に設置されている。さらに、各防災用品収納スペース１２ａ〜１２ｎを照らす照明が第１〜第１４防災用品収納スペース１２ａ〜１２ｎの天板に設置されている。防災ロッカー１０Ｃでは、第１〜第２用具・器具収納スペース１３ａ，１３ｂの取り出し開口１９に開閉扉２０が設置され、開閉扉２０を施錠する錠が取り出し開口１９の側板に設置されている。
【０１００】
宅配ボックス１１は図１のそれと同一であるから、図１と同一の符号を付すとともに、図１の説明を援用することで、宅配ボックス１１の詳細な説明は省略する。宅配ボックス１１は、縦方向と横方向とへ並ぶ複数の荷物収納スペース２１ａ〜２１ｋ（荷物収納ボックス）と、荷物（宅配便や配達物）の収納時（預け入れ時）や荷物（宅配便や配達物）の取り出し時（受け取り時）に操作するコントロールパネル２２（液晶タッチパネル）とを有する。宅配ボックス１１には、コントローラー（コンピュータ）（図示せず）が内蔵され、大容量ハードディスク等の記憶領域が実装されている。宅配ボックス１１のコントローラーは、ネットワーク（インターネットやＷＡＮ、ＬＡＮ）を介して宅配ボックス１１の管理会社に接続されている。荷物収納スペース２１ａ〜２１ｋは、図１の宅配ボックス１１のそれと同一である。
【０１０１】
宅配ボックス１１のコントローラーには、開閉扉１６を自動的に開閉する開閉機構、開閉扉１６を自動的に施錠する自動錠機構、防災用品収納スペース１２ａ〜１２ｎにおける防災用品１４ａ〜１４ｎの非存在を検出する非存在検出機構（圧力センサ光センサ等）、地震計２９（地震センサ）がインターフェイスを介して接続されている。宅配ボックス１１の記憶領域には、防災ロッカー１０Ｃの第１〜第１４防災用品収納スペース１２ａ〜１２ｎを特定する識別データ（識別子）、各防災用品収納スペース１２ａ〜１２ｎに収納された防災用品１４ａ〜１４ｎを特定する識別データ（識別子）、各防災用品収納スペース１２ａ〜１２ｎに収納された防災用品１４ａ〜１４ｎの値段データ、購入者特定番号、購入者特定番号に対応する購入者氏名、地震の設定値（設定震度）が格納（記憶）されている。
【０１０２】
平常時（設定値（設定震度）未満の震度の地震が発生した場合を含む）の防災ロッカー１０Ｃでは、図６に示すように、各防災用品収納スペース１２ａ〜１２ｎに防災用品１４ａ〜１４ｎが収納され、各防災用品収納スペース１２ａ〜１２ｎの開閉扉１６が閉められて取り出し開口１５が閉鎖され（開閉手段）、開閉扉１６が施錠されて開閉扉１６の開閉が不能になっている（施錠手段）。
【０１０３】
平常時では、各用具・器具収納スペース１３ａ，１３ｂに避難誘導・救助用具、燃焼器具、暖房用具が収納され、各用具・器具収納スペース１３ａ，１３ｂの開閉扉２０が閉められて取り出し開口１９が閉鎖されている。防災ロッカー１０Ｃでは、平常時においてそれら防災用品収納スペース１２ａ〜１２ｎに収納された各種の防災用品１４ａ〜１４ｎを購入することができる。また、各用具・器具収納スペース１３ａ，１３ｂに収納された避難誘導・救助用具、燃焼器具、暖房用具を利用することができる。
【０１０４】
平常時における宅配ボックス１１の利用手順は図１の宅配ボックス１１のそれと同一であるから、図１の宅配ボックス１１の利用手順の説明を援用することで、宅配ボックス１１の利用手順の説明は省略する。平常時の防災ロッカー１０Ｃにおける防災用品１４ａ〜１４ｎの購入手順は、平常時の防災ロッカー１０Ａにおける防災用品１４ａ〜１４ｎの購入手順と同一であるから、図１の防災ロッカー１０Ａの購入手順の説明を援用することで、平常時における防災ロッカー１０Ｃの防災用品１４ａ〜１４ｎの購入手順の説明は省略する。
【０１０５】
なお、平常時において、管理会社、集合住宅（マンション）やビル（オフィスビル）の管理人は、コントロールパネル２２から所定の暗証番号を入力することで、防災ロッカー１０Ｃの防災用品収納スペース１２ａ〜１２ｎや宅配ボックス１１の荷物収納スペース２１ａ〜２１ｋの施錠を解除することができ、防災用品収納スペース１２ａ〜１２ｎの開閉扉１５や荷物収納スペース２１ａ〜２１ｋの開閉扉２０を開けることができる。
【０１０６】
防災ロッカー１０Ｃは、それが宅配ボックス１１に一体に設置され、宅配ボックス１１のコントロールパネル２２を利用して第１〜第１４防災用品収納スペース１２ａ〜１２ｎ（第１〜第ｎ防災用品収納スペース）のうちの所定の防災用品収納スペース１２ａ〜１２ｎを特定するとともに、特定した防災用品収納スペース１２ａ〜１２ｎに収納された防災用品１４ａ〜１４ｎの購入を指示し、宅配ボックス１１を利用することで第１〜第１４防災用品収納スペース１２ａ〜１２ｎに収納された防災用品１４ａ〜１４ｎを個別に購入することが可能であるから、第１〜第１４防災用品収納スペース１２ａ〜１２ｎに収納された各種の防災用品１４ａ〜１４ｎを必要に応じて平常時に何人も購入することができ、平常時における防災用品１４ａ〜１４ｎのニーズに応えることができる。
【０１０７】
防災ロッカー１０Ｃは、宅配ボックス１１のコントロールパネル２２を利用した自動販売機としての機能を持たせることで、第１〜第１４防災用品収納スペース１２ａ〜１２ｎに収納された各種の防災用品１４ａ〜１４ｎのうちの希望の防災用品１４ａ〜１４ｎを平常時に何人も自由かつ容易に購入することができ、購入した防災用品１４ａ〜１４ｎを平常時の生活用品として利用することができる。  防災ロッカー１０Ｃは、宅配ボックス１１の遠隔監視・遠隔操作機能を利用することで、第１〜第１４防災用品収納スペース１２ａ〜１２ｎに収納された防災用品１４ａ〜１４ｎの購入にともなう決済を行うことができ、防災ロッカー１０Ｃにおける防災用品１４ａ〜１４ｎの購入から決済までをスムーズに行うことができるとともに、防災ロッカー１０Ａ独自に決済機能を持たせる手間とコストとを省くことができる。
【０１０８】
防災ロッカー１０Ｃは、特定の防災用品収納スペース１２ａ〜１２ｎにおいて防災用品１４ａ〜１４ｎが購入された場合、その防災用品収納スペース１２ａ〜１２ｎに防災用品１４ａ〜１４ｎが非存在（無し）になるが、非存在検出手段によって防災用品収納スペース１２ａ〜１２ｎにおける防災用品１４ａ〜１４ｎの非存在を検出するとともに、防災用品１４ａ〜１４ｎの非存在が確認された防災用品収納スペース１２ａ〜１２ｎを宅配ボックス１１の遠隔監視・遠隔操作機能を利用して管理会社（外部）に通知することで、管理会社（外部）が特定の防災用品収納スペース１２ａ〜１２ｎにおける防災用品１４ａ〜１４ｎの非存在を直ちに知ることができ、防災用品１４ａ〜１４ｎを特定の防災用品収納スペース１２ａ〜１２ｎに迅速に補充することができるとともに、平常時における防災用品１４ａ〜１４ｎのニーズに確実に応えることができる。
【０１０９】
防災ロッカー１０Ｃ（宅配ボックス１１）が設置された集合住宅やビルが存在する地域に地震が発生した場合、地震計２９（地震センサ）がその震度を測定する。地震計２９によって測定された震度の震度信号（測定震度）は、地震計２９から宅配ボックス１１のコントローラーに送信され、コントローラーに受信される（緊急信号受信手段）。地震計２９から震度信号を受信したコントローラーは、記憶領域に格納された設定値（設定震度）と地震計２９から受信した震度信号（測定震度）とを比較し、震度信号（測定震度）が設定値（設定震度）以上または震度信号（測定震度）が設定値（設定震度）を超過する場合、第１〜第１４防災用品収納スペース１２ａ〜１２ｎの全ての自動錠機構（電気錠）に施錠解除信号を送信するとともに、開閉機構に第１〜第１４防災用品収納スペース１２ａ〜１２ｎの開閉扉１６の開放信号を送信する。
【０１１０】
コントローラーから施錠解除信号を受信した自動錠機構は、第１〜第１４防災用品収納スペース１２ａ〜１２ｎの開閉扉１６の施錠を解除し、コントローラーから開放信号を受信した開閉機構は、開閉扉１６を開放し、図９に示すように、第１〜第１４防災用品収納スペース１２ａ〜１２ｎの開閉扉１６の全てが開けられる（施錠第２解除手段）。なお、コントローラーが第１〜第１４防災用品収納スペースの全ての自動錠機構（電気錠）に施錠解除信号にみを送信し、自動錠機構が第１〜第１４防災用品収納スペース１２ａ〜１２ｎの開閉扉１６の施錠を解除し、開閉扉１６の開放が行われない場合がある。なお、地震によって電源が遮断された場合、防災ロッカー１０Ｃや宅配ボックス１１の電源としては非常用電源（バッテリー）が利用される。
【０１１１】
防災ロッカー１０Ｃでは、第１〜第１４防災用品収納スペース１２ａ〜１２ｎの開閉扉１６の全てが開放され、または、第１〜第１４防災用品収納スペース１２ａ〜１２ｎの開閉扉１６の施錠が解除されることで、第１〜第１４防災用品収納スペース１２ａ〜１２ｎに収納された防災用品１４ａ〜１４ｎを取り出すことができ、防災用品１４ａ〜１４ｎを何時に何人も利用することができる。また、第１〜第２用具・器具収納スペース１３ａ，１３ｂに収納された避難誘導・救助用具、燃焼器具、暖房用具を取り出してそれらを利用することができる。
【０１１２】
防災ロッカー１０Ｃは、設定値（設定震度）以上または設定値（設定震度）を超過する地震が発生し、その震度信号（測定震度）が宅配ボックス１１のコントローラーに送信された場合（宅配ボックス１１のコントローラーが地震計２９から震度信号（測定震度）を受信した場合）、宅配ボックス１１のコントローラーからの指令に基づいて第１〜第１４防災用品収納スペース１２ａ〜１２ｎ（第１〜第ｎ防災用品収納スペース）の全ての施錠を解除し、または、第１〜第１４防災用品収納スペース１２ａ〜１２ｎの全ての施錠を解除しつつ全ての開閉扉１６を開放するから、第１〜第１４防災用品収納スペース１２ａ〜１２ｎに収納された各種の防災用品１４ａ〜１４ｎを何人も直ちに利用可能にすることができ、防災用品１４ａ〜１４ｎを何時何人にも自由に利用させることができる。
【０１１３】
防災ロッカー１０Ｃは、設定値（設定震度）以上または設定値（設定震度）を超過する地震が発生した緊急時に、防災用品１４ａ〜１４ｎを何時に何人にも自由に利用させることができるから、災害発生後の衣食住に必要な食料や物資を当面に間供給することができ、災害による食糧不足や物資不足を補うことができる。防災ロッカー１０Ｃは、災害が発生した場合、用具・器具収納スペース１３ａ，１３ｂに収納された避難誘導・救助用具や燃焼器具、暖房用具を何時に何人にも自由に利用させることができ、避難誘導・救助用具を利用して避難や救助を行うことができ、燃焼器具を利用して調理を行うことができるとともに、暖房用具を利用して暖房を行うことができる。
【符号の説明】
【０１１４】
１０Ａ  防災ロッカー
１０Ｂ  防災ロッカー
１０Ｃ  防災ロッカー
１１    宅配ボックス
１２ａ〜１２ｎ  第１〜第１４防災用品収納スペース
１３ａ，１３ｂ  第１〜第２用具・器具収納スペース
１４    第１〜第１４防災用品
１５    取り出し開口
１６    開閉扉
１７    正面板
１８    枠部材
１９    取り出し開口
２０    開閉扉
２１ａ〜２１ｋ  荷物収納スペース
２２    コントロールパネル
２３    扉
２４    伝票排出口
２５    公共機関
２６    民間機関
２７    配線用遮断機（ブレーカー）
２８    ブレーカースイッチ
２９    地震計
【図１】
2018193790.tif 000003
【図２】
2018193790.tif 000004
【図３】
2018193790.tif 000005
【図４】
2018193790.tif 000006
【図５】
2018193790.tif 000007
【図６】
2018193790.tif 000008
【図７】
2018193790.tif 000009
【図８】
2018193790.tif 000010
【図９】
2018193790.tif 000011